【手続補正書】
【提出日】平成28年3月8日(2016.3.8)
【手続補正１】
【補正対象書類名】明細書
【補正対象項目名】発明の名称
【補正方法】変更
【補正の内容】
【発明の名称】層板パケットの製造方法
【手続補正２】
【補正対象書類名】明細書
【補正対象項目名】０００１
【補正方法】変更
【補正の内容】
【０００１】
本発明は、請求項１または請求項１７または請求項１８または請求項１９の上位概念部に記載の層板パケットの製造方法に関するものである。
【手続補正３】
【補正対象書類名】特許請求の範囲
【補正対象項目名】全文
【補正方法】変更
【補正の内容】
【特許請求の範囲】
【請求項１】
複数の層板（５）を打ち抜きし、これら層板に接着手段（３５）を塗布して組み立てることで層板パケット（４２）を形成するようにした、高さをコントロールされる層板パケット（４２）を金型（１３）内で製造する方法であって、前記層板（５）上に、誘導性イミンとメタクリル酸エステルとから成る開始剤（１５）を付加的に塗布し、前記誘導性イミンとメタクリル酸エステルとが接着剤との接触時に反応して、互いに接している前記層板（５）の間の接着結合を形成させるようにした前記方法において、
前記層板（５）のための出発原料（２）として、コイル（７）の形態で供給され前記層板（５）を打ち抜くための帯材（２）を使用し、または、個々の薄板を使用すること、
前記接着剤（３５）を前記層板（５）の片側に塗布し、前記開始剤（１５）を前記層板（５）の他の側に塗布すること、
前記帯材（２）が静止している間に、前記開始剤（１５）を前記層板（５）の前記他の側に噴霧すること、
前記金型（１３）の手前で前記開始剤（１５）を塗布すること、
前記開始剤（１５）および前記接着剤（３５）を塗布するために少なくとも１つの塗布システムを使用し、該塗布システムが、制御部（１７）と少なくとも１つの塗布ユニット（１８）とを有し、該塗布ユニットが少なくとも１つの塗布ヘッド（２０）を備え、該塗布ヘッドが前記開始剤（１５）のための弁（１９）を備え、該弁に前記開始剤（１５）を噴霧するためのノズル（２１）が接続され、前記制御部（１７）が１回のプレス行程ごとに電流パルスを前記弁（１９）へ送信して該弁を開弁させること、
複数のステップで前記層板（５）を、必要な輪郭を備えるように打抜くこと、
最後の打ち抜きステップの前に前記接着剤（３５）を前記層板（５）に塗布すること、
を特徴とする方法。
【請求項２】
必ずしも完全に前記接着剤（３５）と混合させる必要のない前記開始剤（１５）によって硬化反応を発生および／または加速させることを特徴とする、請求項１に記載の方法。
【請求項３】
前記接着剤（３５）を、前記帯材（２）の上面の、パケットの組み立てに適した位置で小さな点の形態でおよび／または一部の面にまたは全面に塗布することを特徴とする、請求項１または２に記載の方法。
【請求項４】
前記接着剤を可変量で前記層板（５）上に塗布することを特徴とする、請求項１から３までのいずれか一つに記載の方法。
【請求項５】
前記接着剤を１つまたは複数の接着剤単位の形態で前記層板（５）上へ配量して塗布することを特徴とする、請求項１から４までのいずれか一つに記載の方法。
【請求項６】
螺旋状のパケットを所望のどのピッチ角でも形成させるため、前記パケット（４２）の構築中に前記層板（５）を回転させることを特徴とする、請求項１から５までのいずれか一つに記載の方法。
【請求項７】
品質、厚さ、性質、コーティングが異なる材料を加工することを特徴とする、請求項１から６までのいずれか一つに記載の方法。
【請求項８】
前記層板パケット（４２）用の組み立て室（４１）内にブレーキ（４０）を挿着させることを特徴とする、請求項１から７までのいずれか一つに記載の方法。
【請求項９】
前記開始剤の塗布を周期的に中断し、前記組み立て室（４１）内で異なる高さのパケット（４２）を継ぎ合わせることを特徴とする、請求項１から８までのいずれか一つに記載の方法。
【請求項１０】
前記接着剤の塗布または前記開始剤の塗布を、内部または外部から来る信号によって中断させることを特徴とする、請求項１から８までのいずれか一つに記載の方法。
【請求項１１】
前記接着剤（３５）を少なくとも１つのロール（３４）を用いて全面または部分的に塗布することを特徴とする、請求項１から１０までのいずれか一つに記載の方法。
【請求項１２】
前記開始剤の塗布を１つまたは複数の噴霧ヘッド（２０）を用いて全面または部分的に行なうことを特徴とする、請求項１から１１までのいずれか一つに記載の方法。
【請求項１３】
前記開始剤（１５）および／または前記接着剤（３５）の量を変化させて、後の接着剤複合体の硬化速度および性質を制御できるようにしたことを特徴とする、請求項１から１２までのいずれか一つに記載の方法。
【請求項１４】
前記接着手段の１つの成分を連続的に塗布し、前記接着手段の他の成分を、前記パケットの形成を中断するために前記層板（４３）上に塗布しないことを特徴とする、請求項１から１３までのいずれか一つに記載の方法。
【請求項１５】
前記接着手段の１つの成分を連続的に塗布し、前記接着手段の硬化反応を活性化させるための他の成分を、前記パケットの形成を中断するために前記層板（４３）上に塗布しないことを特徴とする、請求項１から１４までのいずれか一つに記載の方法。
【請求項１６】
前記接着剤複合体を、前記金型（１３）の内部またはすぐ横に設けたユニット内の雌型（３９）および／または次の蓄積部（４１）内での熱供給により、全体または一部を硬化させることを特徴とする、請求項１から１５までのいずれか一つに記載の方法。
【請求項１７】
複数の層板（５）を打ち抜きし、これら層板に接着剤（３５）を塗布して組み立てることで層板パケット（４２）を形成するようにした、高さをコントロールされる層板パケット（４２）を金型（１３）内で製造する方法において、
前記層板（５）のための出発原料（２）として、コイル（７）の形態で供給され前記層板（５）を打ち抜くための連続帯材（２）を使用し、または、個々の薄板を使用すること、
接着手段として、熱供給によって硬化する接着剤（３５）を使用し、複数のステップで前記層板（５）を、必要な輪郭を備えるように打抜き、最後の打ち抜きステップの前に前記接着剤（３５）を前記層板（５）に塗布すること、
前記層板（５）を層板蓄積部内で部分的にまたは全体を加熱すること、
を特徴とする方法。
【請求項１８】
複数の層板（５）を打ち抜きし、これら層板に接着剤（３５）を塗布して組み立てることで層板パケット（４２）を形成するようにした、高さをコントロールされる層板パケット（４２）を金型（１３）内で製造する方法において、
前記層板（５）のための出発原料（２）として、コイル（７）の形態で供給され前記層板（５）を打ち抜くための連続帯材（２）を使用し、または、個々の薄板を使用すること、
前記接着剤（３５）を前記層板（５）の少なくとも１つの側に塗布すること、
前記接着剤を備えた前記層板（５）を層板蓄積部内で積層すること、
前記接着剤（３５）を、加熱によって液化して接着部を構築し、前記金型（１３）内で冷却することによって再び固形化すること、
を特徴とする方法。
【請求項１９】
複数の層板（５）を打ち抜きし、これら層板に接着剤（３５）を塗布して組み立てることで層板パケット（４２）を形成するようにした、高さをコントロールされる層板パケット（４２）を金型（１３）内で製造する方法において、
前記接着剤（３５）を加熱によって液化して、押圧力により補助される接着部を構築すること、
前記接着剤（３５）をこの温度で硬化させ、および／または、前記金型（１３）内で冷却することによって再び固形化し、前記接着剤が溶融しないように、しかしより高い温度安定性を生じさせるような更なる硬化反応が行なわれるように、追加的に２回目の加熱を前回よりも低く加熱すること、
を特徴とする方法。
【請求項２０】
前記接着剤（３５）の一部または全面の加熱を層板蓄積部（４１）内で行うことを特徴とする、請求項１から１９までのいずれか一つに記載の方法。
【請求項２１】
前記接着剤（３５）の一部または全面の加熱を、前記層板（５）を継ぎ合わせる前に非常に迅速に行い、前記接着剤（３５）がまだ反応温度下にあるときに前記層板（５）を継ぎ合わせることを特徴とする、請求項１から２０までのいずれか一つに記載の方法。
【請求項２２】
個々の層板（５）を予熱し、前記接着剤（３５）を加熱するために層板蓄積部（４１）内で部分的にまたは全面を後加熱して接着を改善させることを特徴とする、請求項１から２１までのいずれか一つに記載の方法。
【請求項２３】
前記接着剤（３５）の反応段階および／または液状段階での接着部の構築を、前記層板蓄積部（４１）内で前記層板（５）を押圧することによって支援することを特徴とする、請求項１から２２までのいずれか一つに記載の方法。
【請求項２４】
前記接着剤（３５）の加熱を１つまたは複数の誘導コイルおよび／または放射および／または波動加熱によって行うことを特徴とする、請求項１から２３までのいずれか一つに記載の方法。
【請求項２５】
層板積層体（４２）の切り離しを、分離剤および／または分離フィルムから成っている分離層を塗布することによって行うことを特徴とする、請求項１から２４までのいずれか一つに記載の方法。
【請求項２６】
層板積層体（４２）の切り離しを、熱源を短時間オフすることによって行い、１つまたは複数の層板が反応温度および／または接着温度に達しないようにすることを特徴とする、請求項１から２５までのいずれか一つに記載の方法。
【請求項２７】
前記接着剤および前記開始剤の塗布ユニットの位置が、互いに重なりあってまたは互いにずらして前記金型の上流側にあり、および／または、前記金型内にあることを特徴とする、請求項１から２６までのいずれか一つに記載の方法。
【請求項２８】
滴状接着剤を、これがノズル（２１）から出るときに前記開始剤を用いて破壊することを特徴とする、請求項１から２７までのいずれか一つに記載の方法。